(57)【要約】【課題】  カラープリンタを較正する方法を提供する。【解決手段】  非ブラック原色値の第１、第２、及び第３の部分を求め、第１の部分を指標として使用する第１の一次元ルックアップ・テーブルを用いて調整された第１の部分を求め、第２の部分を指標として使用する第２の一次元ルックアップ・テーブル用いて調整された第２の部分を求め、調整された第１の部分、調整された第２の部分、及び第３の部分を加算するステップを含む、非ブラック原色値を調整する方法である。【選択図】      図２
2006094493.tif 000002
【特許請求の範囲】
【請求項１】
非ブラック原色値を調整する方法であって、
グレイ色に寄与する前記非ブラック原色値のグレイ成分を求め、
二次色に寄与する前記非ブラック原色値の二次色成分を求め、
前記グレイ色又は前記二次色に寄与しない前記非ブラック原色値の主成分を求め、
グレイバランス関連の一次元原色ルックアップ・テーブル用いて、調整されたグレイ成分を求め、
二次色関連の一次元原色ルックアップ・テーブルを用いて、調整された二次色成分を求め、
前記調整されたグレイ成分、前記調整された二次色成分、及び主成分を加算する、
ステップを含むことを特徴とする方法。
【請求項２】
調整されたグレイ成分を求めるステップが、前記グレイ成分を指標として用いてグレイをバランスさせるために、グレイバランス関連の一次元原色ＴＲＣから、グレイバランス関連の原色ＴＲＣ値を取得するステップを含むことを特徴とする請求項１に記載の方法。
【請求項３】
調整された二次色成分を求めるステップが、前記二次色成分を指標として用いて、二次色関連の一次元原色ＴＲＣから、二次色関連の原色ＴＲＣ値を取得するステップを含むことを特徴とする請求項１に記載の方法。
【発明の詳細な説明】
【技術分野】
【０００１】
本主題の開示は、一般に、カラー印刷に向けられる。
【背景技術】
【０００２】
カラープリンタは、典型的に、色のスペクトルを発生させるように複数の異なる原色のインクを用いる。例えば、多くのカラープリンタは、シアン（Ｃ）、マゼンタ（Ｍ）、イエロー（Ｙ）、及びブラック（Ｋ）という４つのインクの色を用いる。ゼロ又はそれ以上のＣ、Ｍ、Ｙ、又はＫのインクドットの組み合わせを各々のピクセル位置に置くことにより、カラー画像が受け基板又は媒体上に形成される。シアン、マゼンタ及びイエローのインクの異なる組み合わせにより、幅広い範囲の色を生成することができるため、これらのインクが典型的に用いられている。
【発明の開示】
【発明が解決しようとする課題】
【０００３】
カラープリンタを較正するのは困難である。
【課題を解決するための手段】
【０００４】
本発明は、非ブラック原色値を調整する方法であって、グレイ色に寄与する前記非ブラック原色値のグレイ成分を求め、二次色に寄与する前記非ブラック原色値の二次色成分を求め、前記グレイ色又は前記二次色に寄与しない前記非ブラック原色値の主成分を求め、グレイバランス関連の一次元原色ルックアップ・テーブル用いて、調整されたグレイ成分を求め、二次色関連の一次元原色ルックアップ・テーブルを用いて、調整された二次色成分を求め、前記調整されたグレイ成分、前記調整された二次色成分、及び主成分を加算する、ステップを含むことを特徴としている。
上記方法において、調整されたグレイ成分を求めるステップが、前記グレイ成分を指標として用いてグレイをバランスさせるために、グレイバランス関連の一次元原色ＴＲＣから、グレイバランス関連の原色ＴＲＣ値を取得するステップを含んでもよい。
また、上記方法において、調整された二次色成分を求めるステップが、前記二次色成分を指標として用いて、二次色関連の一次元原色ＴＲＣから、二次色関連の原色ＴＲＣ値を取得するステップを含んでもよい。
【発明を実施するための最良の形態】
【０００５】
図１は、例えばホストコンピュータから印刷データを受信し、該印刷データをバッファメモリ３３に保存するインターフェース３１を含む印刷装置の実施形態の概略的なブロック図である。プロセッサ３５は、印刷データを処理してビットマップされたラスタデータを生成するように構成され、該データはメモリ３７に保存される。印刷エンジン３９は、プロセッサ３５によって生成されるビットマップラスタデータに従ってイメージを印刷する。印刷エンジン３９は、例えば、電子写真印刷エンジンか、又はインクジェット印刷エンジンとすることができる。
【０００６】
図２は、カラープリンタのための画像処理パイプラインの一部の実施形態のブロック図である。１１１において、入力された色データは、例えばカラー・テーブルを用いて、シアン、マゼンタ、イエロー、及びブラックの原色を用いるＣＭＹＫのようなプリンタの色空間に変換される。１１３において、プリンタの原色データ上で、グレイ成分の置き換えが実行され、幾らかの量の非ブラック原色がブラックで置き換えられる。１１５において、本明細書により特定的に開示されるように、複数の一次元階調再現曲線（ＴＲＣ）を用いて、非ブラック原色の各々について、グレイバランス化及び二次色の調整が行われる。１１７において、線形化が行われる。１１９においてハーフトーン化が実行され、１２１において印刷が行われる。実際には、線形化のステップ１１７を、ハーフトーン化のステップ１１９に併合することができる。開示された実施形態に用いられる一次元ＴＲＣは、例えば、一次元ルックアップ・テーブルとして実施することができる。
例えば、１１５及び１１７における調整を用いて、印刷装置を較正することができる。参照を簡単にするために、ここに開示される実施形態は、Ｃ、Ｍ、Ｙ、及びＫの原色を用いる。
【０００７】
図３は、非ブラック原色の各々について、複数の一次元ＴＲＣを用いて、ＣＭＹのような非ブラック原色値のグレイ成分及び二次色成分を調整するために、１１５（図２）において用い得る手順の実施形態の概略的なフロー図である。
３１１において、ＧＲＡＹ成分が、オリジナルの又は入力された非ブラック原色Ｃ、Ｍ、Ｙ値の最小値に設定される。こうしたＣ、Ｍ、Ｙ値の各々について、ＧＲＡＹは、特定のＣ、Ｍ、Ｙデータのグレイに寄与し、非ブラック原色のグレイ成分と呼ぶことができる非ブラック原色の量を含む。
３１３において、ＧＲＡＹ成分が、非ブラック原色の入力Ｃ、Ｍ、Ｙの各々から引かれて、ＧＲＡＹ成分が除去された非ブラック原色のバージョンＣ１、Ｍ１、Ｙ１になる。
【０００８】
３１５において、二次色のレッド、グリーン、及びブルーが、ＧＲＡＹ成分が除去された非ブラック原色値の適切な組み合わせ（Ｍ１、Ｙ１）、（Ｃ１、Ｙ１）、（Ｃ１、Ｍ１）の最小値に設定される。Ｃ、Ｍ、Ｙ値の各々について、グリーンは、特定のＣ、Ｍ、Ｙデータのグリーン二次色に寄与するシアン及びイエローの量を含み、ブルーは、特定のＣ、Ｍ、Ｙデータのブルー二次色に寄与するシアン及びマゼンタの量を含み、レッドは、特定のＣ、Ｍ、Ｙデータのレッド二次色に寄与するマゼンタ及びイエローの量を含む。この例においては、３１３で計算されたように、Ｃ１、Ｍ１、Ｙ１の少なくとも１つがゼロであるので、Ｃ、Ｍ、Ｙ値のいずれかの組について多くても１つの非ゼロ二次色があることを理解すべきである。二次色に寄与する非ブラック原色値の部分を、便利に、非ブラック原色値の二次色成分（例えば、シアン色値のグリーン成分、シアン色値のブルー成分など）と呼ぶことができる。参照を簡単にするために、原色値の二次色成分を、原色の二次成分（例えば、マゼンタのブルー成分、マゼンタのレッド成分など）とも呼ぶこともできる。
【０００９】
３１７において、ＧＲＡＹ成分が除去された非ブラック原色値から適切な二次色成分を引くことによって、非ブラック原色値の各々の主成分が得られる。特に、グリーン及びブルーがＣ１から除去されてシアン色値Ｃの主成分Ｃ２を取得し、レッド及びブルーがＭ１から除去されてマゼンタ色値Ｍの主成分Ｍ２を取得し、レッド及びグリーンがＹ１から除去されてイエロー色値Ｙの主成分Ｙ２を取得する。この例において、Ｃ、Ｍ、Ｙ値は、多くても１つの二次色を形成するが、３１７の式は、３つの可能性がある二次色を含むように一般化される。
【００１０】
３１９において、非ブラック原色の各々について、グレイをバランスさせるために調整されたそれぞれの調整されたグレイ成分、それぞれの調整された二次色成分、及び主成分を加算することによって、それぞれの調整された非ブラック原色値が取得される。
特にシアンについては、３１９において、グレイ及び二次色の調整されたシアン色値Ｃ＿ｏｕｔを、
2006094493.tif 000003
によって得ることができる。
ここで、Ｃ２は、シアン色値Ｃの主成分を含み、ｇｒｅｅｎ＿Ｃ[]は、シアン色値Ｃのグリーン成分により指標付けされるグリーン関連の一次元シアンＴＲＣを含み、ｂｌｕｅ＿Ｃ[]は、シアン色値Ｃのブルー成分により指標付けされるブルー関連の一次元シアンＴＲＣを含み、ｇｒａｙｂａｌ＿Ｃ[]は、グレイ成分により指標付けされるグレイをバランスさせるためのグレイバランス関連の一次元シアンＴＲＣである。
【００１１】
特にマゼンタについては、３１９において、グレイ及び二次色の調整されたマゼンタ色値Ｍ＿ｏｕｔを、
2006094493.tif 000004
によって得ることができる。
ここで、Ｍ２は、マゼンタ色値Ｍの主成分を含み、ｒｅｄ＿Ｍ[]は、マゼンタ色値Ｍのレッド成分により指標付けされるレッド関連の一次元マゼンタＴＲＣを含み、ｂｌｕｅ＿Ｍ[]は、マゼンタ色値Ｍのブルー成分により指標付けされるブルー関連の一次元マゼンタＴＲＣを含み、ｇｒａｙｂａｌ＿Ｍ[]は、グレイ成分により指標付けされるグレイをバランスさせるためのグレイバランス関連の一次元マゼンタＴＲＣである。
【００１２】
特にイエローについては、３１９において、グレイ及び二次色の調整されたイエロー色値Ｙ＿ｏｕｔを、
2006094493.tif 000005
によって得ることができる。
ここで、Ｙ２は、イエロー色値Ｙの主成分を含み、ｒｅｄ＿Ｙ[]は、イエロー色値Ｙのレッド成分により指標付けされるレッド関連の一次元イエローＴＲＣを含み、ｇｒｅｅｎ＿Ｙ[]は、イエロー色値Ｙのグリーン成分により指標付けされるグリーン関連の一次元イエローＴＲＣを含み、ｇｒａｙｂａｌ＿Ｙ[]は、グレイ成分により指標付けされるグレイをバランスさせるためのグレイバランス関連の一次元イエロータＴＲＣである。
【００１３】
一般的に、非ブラック原色の各々について、グレイ部分又は成分、二次色部分又は成分、及び主部分又は成分が、求められる。非ブラック原色は、１つ又はそれ以上のこうした成分を含むことができる。非ブラック原色の各々について、グレイバランス関連の原色ＴＲＣに対する指標としてグレイ成分を用いて調整されたグレイ成分が得られ、二次色関連の原色ＴＲＣに対する指標として二次色成分を用いて調整された二次色成分が得られる。主成分、調整された二次色成分、及び調整されたグレイ成分を組み合わせることによって、グレイ及び二次色の調整された非ブラック原色値が得られる。
【００１４】
種々の範囲にグリーン・パッチを印刷し、Ｌ*、ΔΕなどに基づいてこれらを線形化することによって、グリーン成分によって指標付けされるグリーン関連の一次元シアン及びイエローＴＲＣを得ることができる。例えば、所望の較正によって、色調整をグリーン関連のシアン及び／又はイエローＴＲＣに組み込み、グリーンをよりシアンに、或いはよりイエローにすることができる。グリーンへの色調整がなされない場合には、ｇｒｅｅｎ＿Ｃ[]及びｇｒｅｅｎ＿Ｙ[]を等しいものとすることができる。
ブルー関連の一次元シアン及びマゼンタＴＲＣ並びにレッド関連の一次元マゼンタ及びイエローＴＲＣを同様に得ることができる。
【００１５】
当初提示された、或いは補正されることもある特許請求の範囲の記載は、現時点で予想されない又は認識されていないもの、及び、例えば、出願人／特許権者その他の者から生み出されることがあるものを含め、ここに開示された実施形態及び示唆による変形、代替、修正、改良、均等物及び実質的均等物までも包含する。
【図面の簡単な説明】
【００１６】
【図１】印刷システムの実施形態の概略的なブロック図である。
【図２】画像処理パイプラインの実施形態の概略図である。
【図３】非ブラック原色の各々について、複数の一次元ルックアップ・テーブルを用いて二次色及びグレイを調整する手順の実施形態である。
【符号の説明】
【００１７】
３１：インターフェース
３３：バッファメモリ
３５：プロセッサ
３７：メモリ
３９：印刷エンジン
【図１】
2006094493.tif 000006
【図２】
2006094493.tif 000007
【図３】
2006094493.tif 000008